(57)【要約】【課題】ハウジングによるコンタクトの保持力を向上させる。【解決手段】コネクタ１０は、ケーブルのコンタクトがハウジング１２のコンタクト孔１４に挿入される。ここで、コンタクトがコンタクト孔１４に挿入される際には、コンタクトが傾動されることで、コンタクトの被係止部がコンタクト孔１４の係止面１８Ａに係止されて、コンタクトがハウジング１２に保持される。【選択図】図２
2019012616.tif 000002
【特許請求の範囲】
【請求項１】
配線に設けられるコンタクトが挿入されるコンタクト孔を有するハウジングと、
前記コンタクト孔内に設けられ、前記コンタクトが前記コンタクト孔への挿入方向周りに傾動されることで前記コンタクトに設けられる被係止部が係止されて前記コンタクトが前記ハウジングに保持される係止部と、
を備えたコネクタ。
【請求項２】
前記コンタクト孔内に前記係止部より前記コンタクト挿入側において設けられ、前記被係止部を案内して前記コンタクトが前記被係止部を前記係止部に係止される傾動位置に対し傾動される挿入案内部を備えた請求項１に記載のコネクタ。
【請求項３】
前記コンタクト孔内に設けられ、前記被係止部を案内することで前記コンタクトが傾動されて前記被係止部が前記係止部に係止される係止案内部を備えた請求項１又は請求項２に記載のコネクタ。
【請求項４】
前記コンタクト孔内に設けられ、前記コンタクトの前記被係止部以外の部分を案内することで前記コンタクトが傾動されて前記被係止部が前記係止部に係止される傾動案内部を備えた請求項１〜請求項３のいずれか１項に記載のコネクタ。
【請求項５】
コンタクト孔を有するハウジングと、
前記コンタクト孔に挿入されるコンタクトが設けられ、前記コンタクトに被係止部が設けられる配線と、
前記コンタクト孔内に設けられ、前記コンタクトが前記コンタクト孔への挿入方向周りに傾動されることで前記被係止部が係止されて前記コンタクトが前記ハウジングに保持される係止部と、
を備えたコネクタ接続構造。
【発明の詳細な説明】
【技術分野】
【０００１】
本発明は、コネクタ及びコネクタ接続構造に関する。
【背景技術】
【０００２】
特許文献１には、２重係止コネクタが開示されている。この２重係止コネクタでは、ハウジングにリアカバーが結合されており、ハウジングのコンタクト収容保持部及びリアカバーのコンタクト導入孔にコンタクトが挿入される。さらに、リアカバーの１次係止用ランス部がコンタクトの第１被係止部に当接されて、ハウジング及びリアカバーにコンタクトが保持される。
【０００３】
ところで、上記２重係止コネクタでは、１次係止用ランス部が弾性変形されて第１被係止部に当接される。
【先行技術文献】
【特許文献】
【０００４】
【特許文献１】特開２０００−２１５９４１号公報
【発明の概要】
【発明が解決しようとする課題】
【０００５】
本発明は、上記事実を考慮し、ハウジングによるコンタクトの保持力を向上させることができるコネクタ及びコネクタ接続構造を提供する。
【課題を解決するための手段】
【０００６】
本発明の第１態様に係るコネクタは、配線に設けられるコンタクトが挿入されるコンタクト孔を有するハウジングと、前記コンタクト孔内に設けられ、前記コンタクトが前記コンタクト孔への挿入方向周りに傾動されることで前記コンタクトに設けられる被係止部が係止されて前記コンタクトが前記ハウジングに保持される係止部と、を備えている。
【０００７】
第１態様に係るコネクタでは、ハウジングのコンタクト孔に配線のコンタクトが挿入される。
【０００８】
ここで、コンタクト孔内に係止部が設けられており、コンタクトがコンタクト孔への挿入方向周りに傾動されることで、コンタクトの被係止部が係止部に係止されて、コンタクトがハウジングに保持される。このため、ハウジングによるコンタクトの保持力を向上させることができる。
【０００９】
本発明の第２態様に係るコネクタは、第１態様に係るコネクタにおいて、前記コンタクト孔内に前記係止部より前記コンタクト挿入側において設けられ、前記被係止部を案内して前記コンタクトが前記被係止部を前記係止部に係止される傾動位置に対し傾動される挿入案内部を備えている。
【００１０】
第２態様に係るコネクタでは、コンタクト孔内に係止部よりコンタクト挿入側において挿入案内部が設けられており、挿入案内部が被係止部を案内して、コンタクトが被係止部を係止部に係止される傾動位置に対し傾動される。このため、被係止部に係止部がコンタクト挿入側から係止されることを抑制できる。
【００１１】
本発明の第３態様に係るコネクタは、第１態様又は第２態様に係るコネクタにおいて、前記コンタクト孔内に設けられ、前記被係止部を案内することで前記コンタクトが傾動されて前記被係止部が前記係止部に係止される係止案内部を備えている。
【００１２】
第３態様に係るコネクタでは、コンタクト孔内に係止案内部が設けられており、係止案内部が被係止部を案内することで、コンタクトが傾動されて、被係止部が係止部に係止される。このため、被係止部を係止部に容易に係止させることができる。
【００１３】
本発明の第４態様に係るコネクタは、第１態様〜第３態様のいずれか１つに係るコネクタにおいて、コンタクト孔内に設けられ、前記コンタクトの前記被係止部以外の部分を案内することで前記コンタクトが傾動されて前記被係止部が前記係止部に係止される傾動案内部を備えている。
【００１４】
第４態様に係るコネクタでは、コンタクト孔内に傾動案内部が設けられており、傾動案内部がコンタクトの被係止部以外の部分を案内することで、コンタクトが傾動されて、被係止部が係止部に係止される。このため、被係止部を係止部に容易に係止させることができる。
【００１５】
本発明の第５態様に係るコネクタ接続構造は、コンタクト孔を有するハウジングと、前記コンタクト孔に挿入されるコンタクトが設けられ、前記コンタクトに被係止部が設けられる配線と、前記コンタクト孔内に設けられ、前記コンタクトが前記コンタクト孔への挿入方向周りに傾動されることで前記被係止部が係止されて前記コンタクトが前記ハウジングに保持される係止部と、を備えている。
【００１６】
第５態様に係るコネクタ接続構造では、ハウジングのコンタクト孔に配線のコンタクトが挿入される。
ここで、コンタクト孔内に係止部が設けられており、コンタクトがコンタクト孔への挿入方向周りに傾動されることで、コンタクトの被係止部が係止部に係止されて、コンタクトがハウジングに保持される。このため、ハウジングによるコンタクトの保持力を向上させることができる。
【発明の効果】
【００１７】
本発明に係るコネクタ及びコネクタ接続構造では、ハウジングによるコンタクトの保持力を向上させることができる。
【図面の簡単な説明】
【００１８】
【図１】（Ａ）は後側のやや上方から見た本発明の一実施の形態に係るコネクタ及びコネクタ接続構造を示す斜視図、（Ｂ）は後側のやや下方から見た図１（Ａ）に示されるコネクタの斜視図である。
【図２】（Ａ）は図１（Ａ）に示されるＡ−Ａ線において切断したコネクタの図１（Ａ）に対応する斜視図、（Ｂ）は図２（Ａ）に示されるコネクタのコンタクト孔を上方から見た拡大平面図である。
【図３】（Ａ）はケーブルをやや下方左側から見た斜視図、（Ｂ）は図３（Ａ）に示されるケーブルをやや下方右側から見た斜視図である。
【図４】（Ａ）は図１（Ａ）に示される矢印Ｂ方向に見たコネクタのコンタクト孔及びコンタクト孔への挿入開始時のケーブルのコンタクトを示す要部拡大図、（Ｂ）はコンタクト孔及びコンタクト孔へ挿入途中のコンタクトを示す図１（Ａ）に対応する要部拡大図、（Ｃ）はコンタクト孔及びコンタクト孔に挿入完了後のコンタクトを示す図１（Ａ）に対応する要部拡大図である。
【発明を実施するための形態】
【００１９】
以下、図１〜図４を用いて、本発明の一実施の形態に係るコネクタ及びコネクタ接続構造について説明する。ここで、図中、適宜、示されている矢印Ｘ方向はコネクタ接続構造の前方（コネクタの長さ方向一側）であり、矢印Ｙ方向はコネクタ接続構造の右方（コネクタの幅方向一側）であり、矢印Ｚ方向はコネクタ接続構造の上方（コネクタの高さ方向一側）である。
【００２０】
（コネクタの構成）
図１（Ａ）及び図１（Ｂ）に示されるように、本実施の形態に係るコネクタ１０は、略直方体箱状に成形された樹脂製のハウジング１２を備えている。ハウジング１２の内部には、複数のコンタクト孔１４が形成されており、複数のコンタクト孔１４は、一定間隔で左右方向に並べられると共に、それぞれ前後方向を深さ方向として互いに平行に配置されている。また、コンタクト孔１４の下面は、ハウジング１２の下壁１２Ｃが構成している。
【００２１】
ハウジング１２の後面１２Ａには、コンタクト孔１４の孔開口１４０が形成されており、孔開口１４０は、後側から見て（図１（Ａ）に示される矢印Ｂ方向に見て）、略矩形状に形成されている。
【００２２】
図２（Ａ）及び図２（Ｂ）に示されるように、コンタクト孔１４は、孔内面１４１を備えており、孔内面１４１は、孔開口１４０から前方へ向かって延設されると共に、ハウジング１２の前壁１２Ｂ側の孔底面１４２に至っている。孔内面１４１は、図２（Ｂ）及び図４（Ａ）に示される下面１４１Ａと、左面１４１Ｂ及び右面１４１Ｃと、図４（Ａ）に示される上面１４１Ｄとを含んでいる。
【００２３】
図２（Ａ）及び図２（Ｂ）に示されるように、ハウジング１２の前壁１２Ｂには、複数の被コンタクト孔１４３が貫通形成されており、被コンタクト孔１４３は、コンタクト孔１４の孔底面１４２において開口している。
【００２４】
図２（Ｂ）及び図４（Ａ）に示されるように、コンタクト孔１４の下面１４１Ａには、位置決め案内面１４１Ｅが形成されており、位置決め案内面１４１Ｅは、孔開口１４０の左右方向中間部から孔底面１４２へ向かって延設されると共に、下面１４１Ａよりも下側に配置されている。位置決め案内面１４１Ｅは、孔底面１４２側以外において、下面１４１Ａと平行な平面にされており、位置決め案内面１４１Ｅは、孔底面１４２側において、前端部を除き前側へ向かうに従い上側へ向かう緩やかな曲面にされて、前端部の上下方向位置が下面１４１Ａとほぼ一致されている。図２（Ａ）及び図２（Ｂ）に示されるように、位置決め案内面１４１Ｅの前端部には、位置決め部１４１Ｆ（ランス）が形成されており、位置決め部１４１Ｆは、下側へ凹状にされると共に、前後方向に見てＶ字状にされている。
【００２５】
図２（Ａ）及び図２（Ｂ）に示されるように、コンタクト孔１４の下面１４１Ａには、位置決め案内面１４１Ｅの右側において、案内部としての案内溝１６が形成されており、案内溝１６は、孔開口１４０から孔内面１４１の前後方向中間部まで延伸されている。案内溝１６は、案内下面１６Ａと、挿入案内部としての傾斜側面１６Ｂと、維持案内部としての維持側面１６Ｃと、逃げ側面１６Ｄとを含んでいる。
【００２６】
案内下面１６Ａは、位置決め案内面１４１Ｅの右側において、孔開口１４０から孔内面１４１の前後方向中間部まで延伸されると共に、位置決め案内面１４１Ｅよりも下側に配置されている。
傾斜側面１６Ｂは、案内溝１６の前後方向中間部において、案内下面１６Ａの左端から上方に立設されている。傾斜側面１６Ｂは、前方へ向けて右方へ向かう方向に傾斜されている。
維持側面１６Ｃは、傾斜側面１６Ｂの前側において、案内下面１６Ａの左端から上方に立設されており、維持側面１６Ｃは、前後方向に延伸されて、後端が傾斜側面１６Ｂの前端と連結されている。
【００２７】
逃げ側面１６Ｄは、案内溝１６の前側部の右面を構成しており、逃げ側面１６Ｄは、傾斜側面１６Ｂの前後方向中間部から維持側面１６Ｃより前側における前後方向位置において、前後方向へ延伸されている。逃げ側面１６Ｄは、コンタクト孔１４の右面１４１Ｃよりも右側に配置されている。
案内溝１６の前面には、係止案内部としての係止案内面１６Ｆが形成されており、係止案内面１６Ｆは、後端が逃げ側面１６Ｄに連結されると共に、前方へ向かうに従い左方へ向かう方向に傾斜されている。
【００２８】
図２（Ａ）及び図２（Ｂ）に示されるように、コンタクト孔１４の孔内面１４１には、孔底面１４２の後側近傍において、傾動案内部としての傾動案内面１６Ｅが形成されており、傾動案内面１６Ｅは、孔内面１４１の右面１４１Ｃの右側に配置されている。傾動案内面１６Ｅは、前方へ向かうに従い左方へ向かう方向に傾斜されており、傾動案内面１６Ｅの前端は、孔内面１４１の右面１４１Ｃに連結されている。傾動案内面１６Ｅの後端は、逃げ側面１６Ｄの上端に左右方向に垂直な平面を介して接続されており、傾動案内面１６Ｅ、当該平面及び逃げ側面１６Ｄは、孔内面１４１の右面１４１Ｃより右側における逃げ空間を形成している。
【００２９】
コンタクト孔１４の孔内面１４１の下面には、略矩形状の係止孔１８が形成されており、係止孔１８は、案内溝１６の前端部の左側に配置されている。係止孔１８の後面は、係止部としての平面状の係止面１８Ａにされており、係止面１８Ａは、前後方向に垂直に配置されると共に、右端が維持側面１６Ｃの前端に連結されている。
図１（Ｂ）及び図２（Ｂ）に示されるように、ハウジング１２の下壁１２Ｃには、貫通孔１８Ｂが形成されており、貫通孔１８Ｂは、ハウジング１２の下壁１２Ｃを上下方向に貫通すると共に、周面が逃げ側面１６Ｄ、係止案内面１６Ｆ及び係止孔１８の周面（係止面１８Ａを含む）と面一にされている。ハウジング１２の製造過程の樹脂成形工程では、成形金型の突出部がハウジング１２の下側から貫通孔１８Ｂを貫通されて、逃げ側面１６Ｄ、係止案内面１６Ｆ及び係止孔１８の周面（係止面１８Ａを含む）が形成される。
【００３０】
なお、図１（Ａ）及び図１（Ｂ）に示されるように、ハウジング１２の後面１２Ａの上端部には、装着部１４４が設けられている。
【００３１】
（ケーブル２２の構成）
図３（Ａ）及び図３（Ｂ）に示されるように、配線としてのケーブル２２は、絶縁導線２４と、ここでは雌型のコンタクト（リセブタクルコンタクト）２６とを含んで構成されている。絶縁導線２４は、電源又は信号を伝送する電線（導体）２４Ａと、電線２４Ａの表面を覆う絶縁性の絶縁被覆２４Ｂとを備えている。
【００３２】
コンタクト２６は、コンタクト本体２６Ａと、導線接続部２６Ｂと、ケーブル接続部２６Ｃとを備えている。コンタクト本体２６Ａは金属製板材を矩形筒状に折曲げて形成されている。コンタクト本体２６Ａは、前側から、図１（Ａ）、図１（Ｂ）、図２（Ａ）及び図２（Ｂ）に示されるコネクタ１０のコンタクト孔１４に孔開口１４０を通して挿入される。
【００３３】
コンタクト本体２６Ａの後側には、前側から順に導線接続部２６Ｂ、ケーブル接続部２６Ｃが配設されており、導線接続部２６Ｂは、コンタクト本体２６Ａの後側に連結されている。導線接続部２６Ｂは、かしめられて、ケーブル２２の絶縁被覆２４Ｂから前側に露出された電線２４Ａの周囲を覆っており、導線接続部２６Ｂは、電線２４Ａに電気的に接続されている。ケーブル接続部２６Ｃは、かしめられて、絶縁被覆２４Ｂの前端の周囲を覆っており、ケーブル接続部２６Ｃは、ケーブル２２の抜けを防いでいる。
【００３４】
そして、ケーブル２２のコンタクト本体２６Ａには、本体下壁２６Ａ１において、被位置決め部３０及び被係止部３２が配設されている。
被位置決め部３０は、コンタクト本体２６Ａの本体下壁２６Ａ１の前端部かつ左右方向中間部において、下側に突出されている。被位置決め部３０は、先端が尖った角錐状或いは槍（ランス）状に形成されている。被位置決め部３０は、図２（Ａ）及び図２（Ｂ）に示されるコネクタ１０のコンタクト孔１４の孔内面１４１に形成された位置決め部１４１Ｆに左右方向において弾性嵌合されている。このため、コンタクト孔１４に対しコンタクト２６が前後方向周り（コンタクト孔１４への挿入方向周り）の傾動方向において位置決めされる。
【００３５】
被係止部３２は、コンタクト本体２６Ａの本体右壁２６Ａ２の後端部が、下方へ延長されると共に、コンタクト本体２６Ａの本体下壁２６Ａ１の後側かつ右側の角部を貫通されて、本体下壁２６Ａ１から下方へ突出されている。被係止部３２は、左右方向から見て（矢印Ｙ方向から見て）、矩形状にされている。被係止部３２は、スタビライザとされており、コンタクト孔１４に孔開口１４０からコンタクト２６が上下逆向きで挿入される際に、被係止部３２がハウジング１２の後面１２Ａに当接されて、コンタクト孔１４へのコンタクト２６の挿入が阻止される。
【００３６】
（コネクタ接続構造）
図１（Ａ）に示されるように、コネクタ接続構造２０は、コネクタ１０と、図３（Ａ）及び図３（Ｂ）に示されるケーブル２２とを含んで構成されている。ケーブル２２のコンタクト２６がコネクタ１０のコンタクト孔１４に挿入された状態では、コネクタ１０が図示省略の被コンタクト（雄型のリード端子）に接触して電気的に接続可能な状態にされる。また、被コンタクトは、コネクタ１０の被コンタクト孔１４３に配設される。
【００３７】
また、コンタクト孔１４へのコンタクト２６の挿入によって、図３（Ａ）及び図３（Ｂ）に示すコンタクト２６の被係止部３２が、図２（Ａ）及び図２（Ｂ）に示される係止孔１８の係止面１８Ａに係止される。
【００３８】
（本実施の形態の作用及び効果）
本実施の形態に係るコネクタ接続構造２０では、コネクタ１０のハウジング１２のコンタクト孔１４に孔開口１４０からケーブル２２のコンタクト２６が挿入される。
【００３９】
ここで、まず最初に、図４（Ａ）に示されるように、コンタクト２６がコンタクト孔１４の孔開口１４０に導かれて、コンタクト２６のコンタクト孔１４への挿入が開始される。このとき、コンタクト２６の被位置決め部３０は、コンタクト孔１４の位置決め案内面１４１Ｅによりコンタクト孔１４へ導かれる。
コンタクト２６のコンタクト孔１４への挿入が開始された後、コンタクト２６の被係止部３２がコンタクト孔１４の案内溝１６に導かれることで、図４（Ｂ）に示されるように、被係止部３２が、案内溝１６の傾斜側面１６Ｂに当接して、傾斜側面１６Ｂにより逃げ側面１６Ｄ側へ導かれる。このとき、コンタクト２６の中心軸Ｏを中心として、コンタクト２６が反時計回りに一定の角度α傾動されて、傾動状態の姿勢とされる。さらに、被係止部３２が案内溝１６の維持側面１６Ｃに導かれて、コンタクト２６の姿勢が傾動状態に維持される。
【００４０】
そして、被係止部３２が案内溝１６の係止案内面１６Ｆに当接して係止案内面１６Ｆに導かれると共に、コンタクト２６の前端がコンタクト孔１４の傾動案内面１６Ｅに当接して傾動案内面１６Ｅに導かれると、図４（Ｃ）に示されるように、コンタクト２６の姿勢が傾動状態から傾動前の非傾動状態へ復元される。
これにより、コンタクト２６の被位置決め部３０がコンタクト孔１４の位置決め部１４１Ｆに弾性嵌合し、コンタクト孔１４に対しコンタクト２６が傾動方向において位置決めされる。
さらに、被係止部３２がコンタクト孔１４の係止孔１８の係止面１８Ａに弾性変形なく係止されることで、コンタクト孔１４からのコンタクト２６の後側への抜けが規制されて、コンタクト孔１４にコンタクト２６が保持される。このため、ハウジング１２によるコンタクト２６の保持力を向上させることができる。これにより、別部品である係止部材（例えば上記特許文献１のプリセット部）によってコンタクト２６を係止する必要をなくすことができ、部品点数及び組付工程を低減できて、コストを低減できる。
また、コンタクト２６がコンタクト孔１４に挿入される際には、コンタクト２６の被係止部３２がコンタクト孔１４の案内溝１６の傾斜側面１６Ｂに案内されて、コンタクト２６が傾動されることで、コンタクト２６の姿勢が傾動状態にされる。このため、被係止部３２がハウジング１２の係止面１８Ａ形成部分に後側から係止されることを抑制でき、被係止部３２が係止面１８Ａを容易に前側へ通過できて、コンタクト２６をコンタクト孔１４に容易に挿入できる。しかも、コンタクト２６のコンタクト孔１４への孔開口１４０からの挿入が開始される際に、コンタクト２６の姿勢が傾動状態にされる必要がないため、孔開口１４０の左右方向寸法を小さくでき、コンタクト２６が誤って大きく傾動された状態でコンタクト孔１４に孔開口１４０から挿入されることを抑制できる。
さらに、コンタクト２６がコンタクト孔１４に挿入される際には、コンタクト２６の被係止部３２がコンタクト孔１４の案内溝１６の係止案内面１６Ｆに案内されて、コンタクト２６が傾動されることで、コンタクト２６の姿勢が非傾動状態に復元されて、被係止部３２が係止面１８Ａに係止される。このため、係止案内面１６Ｆによって被係止部３２を係止面１８Ａに係止でき、被係止部３２を係止面１８Ａに容易に係止できる。
しかも、コンタクト２６がコンタクト孔１４に挿入される際には、コンタクト２６の前端がコンタクト孔１４の傾動案内面１６Ｅに案内されて、コンタクト２６が傾動されることで、コンタクト２６の姿勢が非傾動状態に復元されて、被係止部３２が係止面１８Ａに係止される。このため、傾動案内面１６Ｅによって被係止部３２を係止面１８Ａに係止でき、被係止部３２を係止面１８Ａに一層容易に係止できる。
【００４１】
［上記実施の形態の補足説明］
本発明は、上記実施の形態に限定されるものではなく、その要旨を逸脱しない範囲において、例えば下記の通り変形可能である。
例えば、上記実施の形態では、コネクタ１０のコンタクト孔１４に位置決め案内面１４１Ｅ及び位置決め部１４１Ｆを設けると共に、コンタクト２６に被位置決め部３０を設けた。しかしながら、コネクタ１０のコンタクト孔１４に位置決め案内面１４１Ｅ及び位置決め部１４１Ｆを設けないと共に、コンタクト２６に被位置決め部３０を設けなくてもよい。これにより、コネクタ１０及びコンタクト２６の構成を簡単にできる。
また、上記実施の形態では、ハウジング１２に別部品である係止部材を設けていない。しかしながら、ハウジング１２に別部品である係止部材を設けて、係止部材がコンタクト２６を係止してもよい。
【符号の説明】
【００４２】
１０…コネクタ、１２…ハウジング、１４…コンタクト孔、１６Ｂ…傾斜側面（挿入案内部）、１６Ｅ…傾動案内面（傾動案内部）、１６Ｆ…係止案内面（係止案内部）、１８Ａ…係止面（係止部）、２０…コネクタ接続構造、２２…ケーブル（配線）、２６…コンタクト、３２…被係止部。
【図１】
2019012616.tif 000003
【図２】
2019012616.tif 000004
【図３】
2019012616.tif 000005
【図４】
2019012616.tif 000006